(57)【要約】【課題】一枚手差しトレイを備える印刷装置であって、ユーザー利便性を向上させることのできる印刷装置、等を提供する。【解決手段】印刷要求データに従って印刷を行う印刷装置が、一度に一枚だけ用紙をセット可能な手差し給紙部と、一度に複数枚の用紙をセット可能なその他給紙部と、前記印刷要求データに給紙部自動選択の指定が含まれている場合に、前記手差し給紙部を前記その他給紙部よりも優先して用いる手差し給紙部優先機能と、を備える。【選択図】  図１
2019150981.tif 000002
【特許請求の範囲】
【請求項１】
印刷要求データに従って印刷を行う印刷装置であって、
一度に一枚だけ用紙をセット可能な手差し給紙部と、
一度に複数枚の用紙をセット可能なその他給紙部と、
前記印刷要求データに給紙部自動選択の指定が含まれている場合に、前記手差し給紙部を前記その他給紙部よりも優先して用いる手差し給紙部優先機能と、を備える
ことを特徴とする印刷装置。
【請求項２】
請求項１において、
更に、前記手差し給紙部の用紙の有無を検出するセンサーを有し、
前記手差し給紙部優先機能は、前記印刷要求データに給紙部自動選択の指定が含まれている場合、前記センサーの検出結果に基づいて前記手差し給紙部に用紙が有るか否かを判別し、用紙が有ると判別した場合、前記手差し給紙部から用紙を給紙して印刷を実行する
ことを特徴とする印刷装置。
【請求項３】
請求項２において、
前記手差し給紙部優先機能は、前記センサーの検出結果に基づいて前記手差し給紙部に用紙が有るか否かを判別し、用紙が無いと判別した場合、前記印刷要求データに適合する用紙がセットされた前記その他給紙部から用紙を給紙して印刷を実行する
ことを特徴とする印刷装置。
【請求項４】
請求項２あるいは３において、
前記手差し給紙部優先機能は、前記手差し給紙部に用紙がセットされておらず、前記印刷要求データに適合する用紙がセットされた前記その他給紙部が無い場合には、前記手差し給紙部及び前記その他給紙部の中から給紙部を選択することを促す報知を行う
ことを特徴とする印刷装置。
【請求項５】
請求項２において、
前記手差し給紙部優先機能は、前記手差し給紙部から用紙を給紙して印刷ジョブを実行しているときに前記手差し給紙部で用紙切れが発生した場合、前記手差し給紙部への用紙のセットを促す報知を行い、前記その他給紙部から用紙を給紙して当該印刷ジョブを実行しない
ことを特徴とする印刷装置。
【請求項６】
請求項３において、
前記その他給紙部は、複数の給紙部を備え、
前記手差し給紙部優先機能は、前記複数の給紙部のうちいずれかの給紙部から用紙を給紙して印刷ジョブを実行しているときに当該給紙部で用紙切れが発生した場合、当該給紙部を除く前記複数の給紙部のうち、前記印刷要求データに適合する用紙がセットされた給紙部から用紙を給紙して当該印刷ジョブを実行する
ことを特徴とする印刷装置。
【請求項７】
請求項１乃至６のいずれか１項において、
前記手差し給紙部優先機能の有効／無効が設定可能である
ことを特徴とする印刷装置。
【請求項８】
請求項７において、
前記手差し給紙部優先機能が有効に設定されている場合に、前記印刷要求データによる印刷ジョブの種別に基づいて、前記手差し給紙部優先機能を用いるか否かを判断する
ことを特徴とする印刷装置。
【請求項９】
請求項８において、
前記印刷ジョブが、外部装置からの要求によるものである場合には、前記手差し給紙部優先機能を用い、前記印刷ジョブが、ファクシミリの印刷又はステータスシートの印刷である場合には、前記手差し給紙部優先機能を用いない
ことを特徴とする印刷装置。
【請求項１０】
印刷要求データに従って印刷を行い、一度に一枚だけ用紙をセット可能な手差し給紙部と、一度に複数枚の用紙をセット可能なその他給紙部とを備える印刷装置の制御装置に、
前記印刷要求データに給紙部自動選択の指定が含まれている場合に、前記手差し給紙部を前記その他給紙部よりも優先して用いる処理を実行させる
ことを特徴とするプログラム。
【発明の詳細な説明】
【技術分野】
【０００１】
本発明は、印刷装置等に関する。
【背景技術】
【０００２】
従来、一枚の用紙をセット可能な一枚手差しトレイを備えるプリンターが使用されている（下記特許文献１など）。かかるプリンターは、通常、様々な紙種の用紙に少量印刷する目的で使用される。
【０００３】
そのため、一枚手差しトレイにセットされる用紙は毎回変わる可能性があり、一枚手差しトレイにセットされている用紙の種類をプリンターに設定する操作は労を要する。したがって、かかるプリンターでは、通常、一枚手差しトレイの紙種の設定は行われておらず、これにより、印刷要求データが給紙トレイ自動選択の指示を含んでいても、一枚手差しトレイにセットされている用紙が印刷要求に適合するか否かを判断できないため、給紙トレイ自動選択の選択肢に一枚手差しトレイは含まれない仕様になっていた。
【０００４】
そこで、従来装置では、一枚手差しトレイを使用する際には、印刷要求元のドライバーで給紙装置を一枚手差しトレイに指定する操作を行って、印刷要求をしていた。
【先行技術文献】
【特許文献】
【０００５】
【特許文献１】特開２００７−１８５０２号公報
【発明の概要】
【発明が解決しようとする課題】
【０００６】
しかしながら、上述した一枚手差しトレイを備えるプリンターは、多種用紙、少量印刷のためだけに使用されるわけではなく、サイズが小型であり、用紙セットの操作性が良いことなどから、比較的高い頻度で帳票などに印刷を行う銀行の窓口業務などにも使用されている。
【０００７】
かかる使用環境では、一枚手差しトレイを使用して帳票などに印刷する際に、毎回、給紙装置を一枚手差しトレイに指定する操作が必要であり手間がかかる。
【０００８】
このように、様々な使用環境において使い勝手の良いプリンターが望まれる。
【０００９】
そこで、本発明の目的は、一枚手差しトレイを備える印刷装置であって、ユーザー利便性を向上させることのできる印刷装置、等を提供することである。
【課題を解決するための手段】
【００１０】
上記の目的を達成するために、本発明の一つの側面は、印刷要求データに従って印刷を行う印刷装置が、一度に一枚だけ用紙をセット可能な手差し給紙部と、一度に複数枚の用紙をセット可能なその他給紙部と、前記印刷要求データに給紙部自動選択の指定が含まれている場合に、前記手差し給紙部を前記その他給紙部よりも優先して用いる手差し給紙部優先機能と、を備える、ことである。
【００１１】
当該側面により、手差し給紙部を頻繁に用いる使用環境では、手差し給紙部を使用する度に給紙部の設定（指定）をする必要がなく、ユーザー利便性が向上する。
【００１２】
更に、上記発明において、その好ましい一つの態様は、更に、前記手差し給紙部の用紙の有無を検出するセンサーを有し、前記手差し給紙部優先機能は、前記印刷要求データに給紙部自動選択の指定が含まれている場合、前記センサーの検出結果に基づいて前記手差し給紙部に用紙が有るか否かを判別し、用紙が有ると判別した場合、前記手差し給紙部から用紙を給紙して印刷を実行する、ことを特徴とする。
【００１３】
更に、上記発明において、その好ましい一つの態様は、前記手差し給紙部優先機能は、前記センサーの検出結果に基づいて前記手差し給紙部に用紙が有るか否かを判別し、用紙が無いと判別した場合、前記印刷要求データに適合する用紙がセットされた前記その他給紙部から用紙を給紙して印刷を実行することを特徴とする。
【００１４】
当該態様により、手差し給紙部に用紙がない場合にも、自動で適切な給紙部から給紙されるのでユーザー利便性が向上する。
【００１５】
更に、上記発明において、その好ましい一つの態様は、前記手差し給紙部優先機能は、前記手差し給紙部に用紙がセットされておらず、前記印刷要求データに適合する用紙がセットされた前記その他給紙部が無い場合には、前記手差し給紙部及び前記その他給紙部の中から給紙部を選択することを促す報知を行う、ことを特徴とする。
【００１６】
当該態様により、適切な給紙部が無い場合には、給紙部の選択を促す報知が行われ、ユーザー利便性が高い。
【００１７】
更に、上記発明において、その好ましい一つの態様は、前記手差し給紙部優先機能は、前記手差し給紙部から用紙を給紙して印刷ジョブを実行しているときに前記手差し給紙部で用紙切れが発生した場合、前記手差し給紙部への用紙のセットを促す報知を行い、前記その他給紙部から用紙を給紙して当該印刷ジョブを実行しない、ことを特徴とする。
【００１８】
当該態様により、手差し給紙部への用紙のセットを促す報知が行われ、ユーザー利便性が高い。
【００１９】
更に、上記発明において、その好ましい一つの態様は、前記その他給紙部は、複数の給紙部を備え、前記手差し給紙部優先機能は、前記複数の給紙部のうちいずれかの給紙部から用紙を給紙して印刷ジョブを実行しているときに当該給紙部で用紙切れが発生した場合、当該給紙部を除く前記複数の給紙部のうち、前記印刷要求データに適合する用紙がセットされた給紙部から用紙を給紙して当該印刷ジョブを実行する、ことを特徴とする。
【００２０】
当該態様により、用紙切れの際に他の適切な給紙部から給紙されるのでユーザー利便性が高い。
【００２１】
更に、上記発明において、その好ましい一つの態様は、前記手差し給紙部優先機能の有効／無効が設定可能である、ことを特徴とする。
【００２２】
当該態様により、使用環境に適した設定にでき、ユーザー利便性が高い。
【００２３】
更に、上記発明において、その好ましい一つの態様は、前記手差し給紙部優先機能が有効に設定されている場合に、前記印刷要求データによる印刷ジョブの種別に基づいて、前記手差し給紙部優先機能を用いるか否かを判断する、ことを特徴とする。
【００２４】
当該態様により、手差し給紙部優先機能を適切な印刷ジョブに用いることができる。
【００２５】
更に、上記発明において、その好ましい一つの態様は、前記印刷ジョブが、外部装置からの要求によるものである場合には、前記手差し給紙部優先機能を用い、前記印刷ジョブが、ファクシミリの印刷又はステータスシートの印刷である場合には、前記手差し給紙部優先機能を用いない、ことを特徴とする。
【００２６】
上記の目的を達成するために、本発明の別の側面は、印刷要求データに従って印刷を行い、一度に一枚だけ用紙をセット可能な手差し給紙部と、一度に複数枚の用紙をセット可能なその他給紙部とを備える印刷装置の制御装置に、前記印刷要求データに給紙部自動選択の指定が含まれている場合に、前記手差し給紙部を前記その他給紙部よりも優先して用いる処理を実行させる、ことを特徴とするプログラムである。
【００２７】
本発明の更なる目的及び、特徴は、以下に説明する発明の実施の形態から明らかになる。
【図面の簡単な説明】
【００２８】
【図１】本発明を適用した印刷装置の実施の形態例に係る構成図である。
【図２】手差し給紙部優先機能が有効（オン）になっている場合の処理手順の一例を示したフローチャートである。
【発明を実施するための形態】
【００２９】
以下、図面を参照して本発明の実施の形態例を説明する。しかしながら、かかる実施の形態例が、本発明の技術的範囲を限定するものではない。なお、図において、同一又は類似のものには同一の参照番号又は参照記号を付して説明する。
【００３０】
図１は、本発明を適用した印刷装置の実施の形態例に係る構成図である。図１に示されるプリンター２が本発明を適用した印刷装置であり、本プリンター２は、手差しトレイ２３１を含む複数の給紙部２３を備え、給紙部自動選択が指定された印刷要求を受けた際に手差しトレイ２３１を優先して用いる手差し給紙部優先機能を備える。これにより、手差しトレイ２３１を頻繁に使用する環境におけるユーザー利便性を向上させることができる。
【００３１】
本実施の形態例に係るプリンター２は、一例として、複写機能、ファクシミリ機能等を備えた、インクジェットプリンターである。
【００３２】
図１に示されるホスト装置１は、プリンター２に印刷要求を出すホストコンピューターであり、パーソナルコンピューターなどで構成される。
【００３３】
ホスト装置１は、プリンタードライバー１１を備える。プリンタードライバー１１は、プリンター２用のドライバーであり、ドライバープログラム、ＣＰＵ、ＲＡＭ等で構成される。
【００３４】
ホスト装置１がプリンター２に印刷要求を行う際には、プリンタードライバー１１が印刷要求データを生成し、当該印刷要求データがプリンター２へ送信される。印刷要求データは、印刷対象の画像データ、印刷条件を指定するコマンド等を含む。
【００３５】
当該印刷条件には、プリンター２の給紙部２３が含まれ、印刷要求データは、給紙部２３を指定するコマンドを含む。当該コマンドには、その他の印刷条件に適合する用紙を給紙する給紙部２３を、自動で選択することを指示する給紙部自動選択のコマンドがあり、印刷要求時には当該コマンドがデフォルトで選択される。
【００３６】
プリンター２は、図１に示されるように、制御部２１、ユーザーＩ／Ｆ部２２、給紙部２３、印刷機構部２４、搬送路２５、センサー２６等を備える。
【００３７】
制御部２１は、プリンター２の各部の動作を制御するコントローラーであり、図示していないがＣＰＵ、ＲＡＭ、ＲＯＭ、ＡＳＩＣなどで構成される。制御部２１は、ホスト装置１等から印刷要求データを受信した際に、当該印刷要求データを解釈し、要求された印刷を実行する。その印刷処理の際に、どの給紙部２３から給紙するかを決定する処理があり、本プリンター２ではその処理に特徴がある。当該処理は、処理手順を示すプログラム、当該プログラムに従って動作するＣＰＵ等により実行される。
【００３８】
ユーザーＩ／Ｆ部２２は、プリンター２のユーザーとのインターフェースを司る部分であり、表示パネル、操作パネル等を備える。当該ユーザーＩ／Ｆ部２２を用いて、ユーザーは、上述した手差し給紙部優先機能の有効／無効（オン／オフ）を切り替える（設定する）ことができる。なお、当該設定を含む各種設定値は、制御部２１のＮＶＲＡＭ等に記憶される。
【００３９】
給紙部２３は、プリンター２が印刷を行う被印刷媒体である用紙を供給する装置であり、１枚の用紙をセット可能な手差しトレイ２３１（手差し給紙部）と、複数枚の用紙をセット可能な給紙トレイ２３２（その他給紙部）を備える。
【００４０】
手差しトレイ２３１は、帳票用の用紙など様々な種類の用紙を収容（積載）可能であるが、用紙１枚のみを収容可能である。したがって、手差しトレイ２３１から給紙して印刷する場合には、ユーザーが１枚ずつ手差しトレイ２３１に用紙をセットする。
【００４１】
給紙トレイ２３２は、本実施の形態例では、一例として３式（２３２Ａ、２３２Ｂ、２３２Ｃ）備えられる。これらの給紙トレイは、複数枚の用紙を収容（積載）可能であり、通常、Ａ４、Ａ３などの定型の普通紙などがセットされる。
【００４２】
プリンター２は、給紙部２３から供給された用紙を搬送する搬送路２５を備える。また、プリンター２は、手差しトレイ２３１に用紙がセットされているか否か（用紙の有無）を検出するセンサー２６を備える。当該センサーは２６、手差しトレイ２３１に備えられ、手差しトレイ２３１にセットされた状態の用紙を検出するものであっても良いし、搬送路２５に備えられ、手差しトレイ２３１から供給された用紙を検出するものであっても良い。
【００４３】
また、図示していないが、各給紙トレイ２３２に用紙がセットされているか否か（用紙の有無）を検出するセンサーも備えられる。なお、センサー２６及び給紙トレイ２３２用のセンサーは、機械式センサー、光学式センサーなどで構成することができる。
【００４４】
印刷機構部２４は、制御部２１の指示に従って印刷処理を実行する部分である。印刷機構部２４は、搬送路２５に供給された用紙を印刷位置へ搬送し印刷後に排紙する搬送装置と、搬送された用紙に印刷を行う印刷ヘッドなどを備える。
【００４５】
搬送装置は、搬送路２５上の用紙を挟持して移動させる上下対の搬送ローラー、搬送ローラー用のモーター及び伝動装置などを備える。
【００４６】
印刷ヘッドは、インクを吐出する複数のノズルを備え、キャリッジに搭載されて主走査方向（用紙の搬送方向と直交する方向）に移動する。
【００４７】
以上のような構成を備える本実施の形態例に係るプリンター２では、給紙部自動選択が
指定された印刷要求を受けた際に手差しトレイ２３１を優先して用いる手差し給紙部優先機能に特徴があり、以下、手差し給紙部優先機能が有効（オン）になっている場合の処理内容について説明する。
【００４８】
なお、上述の通り、ユーザーは、ユーザーＩ／Ｆ部２２から手差し給紙部優先機能を有効に設定する。その設定情報は、制御部２１のＮＶＲＡＭ等に記憶されている。
【００４９】
図２は、手差し給紙部優先機能が有効（オン）になっている場合の処理手順の一例を示したフローチャートである。まず、プリンター２の制御部２１は、ホスト装置１等から印刷要求データを受信する（図２のステップＳ１）。なお、印刷要求データには、上述したとおり、給紙部を指定するコマンド（給紙部自動選択の指定を含む）が含まれる。
【００５０】
次に、制御部２１は、受信した印刷要求データを解釈し、要求された印刷ジョブの種別を判断する（図２のステップＳ２）。この場合における印刷ジョブの種別には、ホスト装置１などの外部装置から要求される印刷ジョブ、ファクシミリを受信し際の印刷ジョブ、ステータスシートの印刷ジョブ、コピーの印刷ジョブ、接続されたＵＳＢメモリーなどからの直接印刷のジョブなどがある。
【００５１】
なお、ステータスシートとは、プリンター情報や消耗品情報が記載されたシートである。プリンター情報には、デバイス種別、ＭＡＣアドレス、給紙カセット２３２に設定されている紙種の情報などが含まれる。また、消耗品情報には、インクカートリッジの色及び型番、メンテナンスボックスの型番などの情報が含まれる。
【００５２】
上記判断において、制御部２１は、解釈された（受信された）印刷ジョブが所定の印刷ジョブ種であるか否かを判断し、具体的には、本実施の形態例では、外部装置から要求される印刷ジョブであるかを判断し、所定の印刷ジョブ種である場合には、（図２のステップＳ２のＹｅｓ）、有効に設定されている手差し給紙部優先機能の上記設定情報を読み込む（図２のステップＳ３）。
【００５３】
一方、所定の印刷ジョブ種でない場合には、（図２のステップＳ２のＮｏ）、制御部２１は、当該受信した印刷ジョブの処理については、手差し給紙部優先機能を無効のものとして扱う（図２のステップＳ４）。換言すれば、手差し給紙部優先機能の設定情報が無効であるとして処理を行う。
【００５４】
次に、制御部２１は、受信した印刷要求データに含まれる給紙部を指定するコマンドを解釈し、給紙部自動選択が指定されているか否かを判断する（図２のステップＳ５）。当該判断の結果、給紙部自動選択でない場合には（図２のステップＳ５のＮｏ）、処理がステップＳ２１に移行する。
【００５５】
一方、上記判断の結果、給紙部自動選択である場合には（図２のステップＳ５のＹｅｓ）、制御部２１は、手差し給紙部優先機能が有効であるか否かを判断する（図２のステップＳ６）。具体的には、ステップＳ３、Ｓ４で処理した設定情報の有効／無効を判断する。
【００５６】
当該判断の結果、無効である場合には（図２のステップＳ６のＮｏ）、処理がステップＳ１３に移行する。
【００５７】
一方、上記判断の結果、有効である場合には（図２のステップＳ６のＹｅｓ）、制御部２１は、手差しトレイ２３１に用紙があるか否か（セットされているか否か）を判断する（図２のステップＳ７）。具体的には、制御部２１は、センサー２６の検出結果に基づい
て判断する。
【００５８】
当該判断の結果、手差しトレイ２３１に用紙がない場合には（図２のステップ７のＮｏ）、処理がステップＳ１３に移行する。
【００５９】
一方、上記判断の結果、手差しトレイ２３１に用紙がある場合には（図２のステップ７のＹｅｓ）、制御部２１は、手差し給紙部優先の処理を実行する。
【００６０】
まず、制御部２１は、手差しトレイ２３１から給紙し（図２のステップＳ８）、印刷機構部２４を制御して、給紙された用紙を印刷位置へ搬送し、印刷処理を実行し（図２のステップＳ９）、印刷後の用紙を排出する。
【００６１】
その後、制御部２１は、当該印刷ジョブが完了したか否かを判断し（図２のステップＳ１０）、当該印刷ジョブが完了していれば（図２のステップＳ１０のＹｅｓ）、受信した印刷要求データによる処理を終了する。
【００６２】
一方、当該印刷ジョブが完了していなければ（図２のステップＳ１０のＮｏ）、制御部２１は、手差しトレイ２３１が用紙切れ状態か否かを、すなわち、手差しトレイ２３１に用紙がセットされているか否かを判断する（図２のステップＳ１１）。
【００６３】
当該判断の結果、用紙切れの場合には（図２のステップＳ１１のＹｅｓ）、制御部２１は、手差しトレイ２３１へ用紙をセットすることを促す報知を行う（図２のステップＳ１２）。具体的には、例えば、制御部２１は、ユーザーＩ／Ｆ部２２の表示パネルに、手差しトレイ２３１への用紙セットを促すメッセージを表示する。その後、処理はステップＳ１１に戻る。
【００６４】
一方、上記判断の結果、用紙切れでない場合には（図２のステップＳ１１のＮｏ）、処理がステップＳ８に戻り、ジョブが終了するまで同様の処理が行われる。
【００６５】
また、処理がステップＳ１３へ移行した場合には、制御部２１は、給紙部自動選択の場合の通常の処理を実行する。
【００６６】
まず、制御部２１は、印刷ジョブに適合する用紙がセットされた給紙トレイ２３２があるか否かを判断する（図２のステップＳ１３）。当該判断には、各給紙トレイ２３２Ａ、２３２Ｂ、２３２Ｃの設定情報（セットされる用紙種の情報）、用紙の有無を判断するセンサーの検出情報が用いられる。
【００６７】
当該判断の結果、適合する給紙トレイ２３２が無い場合には（図２のステップＳ１３のＮｏ）、制御部２１は、マッチングエラーの報知とトレイ選択を促す報知とを行う（図２のステップＳ２０）。その後、処理はステップＳ２１に移行する。
【００６８】
上記判断の結果、適合する給紙トレイ２３２がある場合には（図２のステップＳ１３のＹｅｓ）、制御部２１は、適合する給紙トレイ２３２から給紙し（図２のステップＳ１４）、印刷機構部２４を制御して、給紙された用紙を印刷位置へ搬送し、印刷処理を実行し（図２のステップＳ１５）、印刷後の用紙を排出する。
【００６９】
その後、制御部２１は、当該印刷ジョブが完了したか否かを判断し（図２のステップＳ１６）、当該印刷ジョブが完了していれば（図２のステップＳ１６のＹｅｓ）、受信した印刷要求データによる処理を終了する。
【００７０】
一方、当該印刷ジョブが完了していなければ（図２のステップＳ１６のＮｏ）、制御部２１は、当該給紙した給紙トレイ２３２が用紙切れ状態か否かを、すなわち、当該給紙トレイ２３２に用紙がセットされているか否かを判断する（図２のステップＳ１７）。
【００７１】
当該判断の結果、用紙切れの場合には（図２のステップＳ１７のＹｅｓ）、制御部２１は、印刷ジョブに適合する用紙がセットされた他の給紙トレイ２３２があるか否かを判断する（図２のステップＳ１８）。
【００７２】
当該判断の結果、適合する他の給紙トレイ２３２が無い場合には（図２のステップＳ１８のＮｏ）、制御部２１は、当該給紙トレイ２３２へ用紙をセットすることを促す報知を行う（図２のステップＳ１９）。具体的には、例えば、制御部２１は、ユーザーＩ／Ｆ部２２の表示パネルに、用紙セットを促すメッセージを表示する。その後、処理はステップＳ１７に戻る。
【００７３】
上記判断の結果、適合する他の給紙トレイ２３２がある場合には（図２のステップＳ１８のＹｅｓ）、また、上記ステップＳ１７で用紙切れでない場合には（図２のステップＳ１７のＮｏ）、処理がステップＳ１４へ戻る。その後、ジョブが終了するまで同様の処理を実行する。
【００７４】
一方、処理がステップＳ２１へ移行した場合には、制御部２１は、給紙部指定の場合の処理を実行する。
【００７５】
まず、制御部２１は、指定された給紙部２３（トレイ２３１、２３２）に用紙がセットされているか否かを判断する（図２のステップＳ２１）。当該判断は、上述の通り、センサー（２６など）の検出値に基づいて行われる。
【００７６】
当該判断の結果、用紙が無い場合には（図２のステップＳ２１のＮｏ）、制御部２１は、当該トレイへ用紙をセットすることを促す報知を行う（図２のステップＳ２２）。具体的には、例えば、制御部２１は、ユーザーＩ／Ｆ部２２の表示パネルに、用紙セットを促すメッセージを表示する。その後、処理はステップＳ２１に戻る。
【００７７】
一方、用紙がある場合には（図２のステップＳ２１のＹｅｓ）、制御部２１は、指定されたトレイから給紙し（図２のステップＳ２３）、印刷機構部２４を制御して、給紙された用紙を印刷位置へ搬送し、印刷処理を実行し（図２のステップＳ２４）、印刷後の用紙を排出する。
【００７８】
その後、制御部２１は、当該印刷ジョブが完了したか否かを判断し（図２のステップＳ２５）、当該印刷ジョブが完了していれば（図２のステップＳ２５のＹｅｓ）、受信した印刷要求データによる処理を終了する。
【００７９】
一方、当該印刷ジョブが完了していなければ（図２のステップＳ２５のＮｏ）、処理がステップＳ２１へ戻る。その後、印刷ジョブが完了するまで同様の処理が行われる。
【００８０】
以上のようにして、プリンター２における、印刷要求データに対する処理が行われる。
【００８１】
なお、本プリンター２では、手差し給紙部優先機能の有効／無効（オン／オフ）を切り替える（設定する）ことができる。切り替える際には、ユーザーは、ユーザーＩ／Ｆ部２２から所定の操作を行う。手差し給紙部優先機能が無効に設定されている場合には、給紙部自動選択が指定されている場合に、手差しトレイ２３１を含めずに、印刷条件に適合する給紙トレイ２３２から給紙が行われる。
【００８２】
なお、本プリンター２は、ユーザーＩ／Ｆ部２２を備えていたが、ユーザーＩ／Ｆ部２２を備えていないプリンター２に手差し給紙部優先機能を持たせる場合には、その機能の有効／無効をユーザーが切り替えられないため、手差し給紙部優先機能が有効であるとして動作させる。
【００８３】
以上説明したように、本実施の形態例に係るプリンター２では、手差し給紙部優先機能が備えられ、印刷要求を受けた際に、給紙部自動選択が指定されている場合には、手差しトレイ２３１を優先してそこから給紙を行って印刷を行う。従って、手差しトレイ２３１を多用する使用環境、例えば、頻繁に帳票に印刷を行うような窓口業務などでの使用環境では、手差しトレイ２３１を使用する度に給紙部の設定（指定）をする必要がなく、ユーザー利便性が向上する。
【００８４】
また、手差し給紙部優先機能では、給紙部自動選択が指定されている場合に、手差しトレイ２３１用のセンサー２６が手差しトレイ２３１に用紙があると検出した場合に手差しトレイ２３１から給紙を行い、センサー２６が手差しトレイ２３１に用紙がないと検出した場合には他の適切な給紙トレイ２３２から給紙を行う。従って、手差しトレイ２３１に用紙がセットされていない際にも適切な用紙に印刷が実行され、この点でもユーザー利便性が向上する。
【００８５】
さらに、センサー２６が手差しトレイ２３１に用紙がないと検出した場合に他の給紙トレイ２３２にも適切な用紙がない場合には、給紙部の選択を促す報知を行い、選択された給紙部から給紙して印刷を行う。従って、用紙のマッチングエラーが発生した場合でも、ユーザーが所望する用紙への印刷を完了することができる。
【００８６】
また、さらに、センサー２６が手差しトレイ２３１に用紙がないと検出した場合など、給紙部自動選択の場合の通常の処理に移行した際に、給紙をしていた給紙トレイ２３２が用紙切れを起こした場合には、他の適切な給紙トレイ２３２から給紙を行う。これにより、ユーザーによる用紙補給を省くことができ、ユーザー利便性が向上する。
【００８７】
また、ユーザーは手差し給紙部優先機能の有効／無効を切り換えることができ、使用環境に適した設定で使用することができる。例えば、機側のユーザーとリモートのユーザーで兼用される場合には、手差し給紙部優先機能を無効にするのが好ましい。
【００８８】
また、手差し給紙部優先機能が有効の場合に、要求を受けたジョブ種に基づいて当該機能を用いるか否かを判断する。例えば、受信したファクシミリの印刷やステータスシートの印刷の場合には、手差し給紙部優先機能が用いられない。これらの用途では、通常、手差しトレイ２３１にセットするような用紙への印刷を行わないからである。
【００８９】
本明細書において、ＣＰＵは、１又は複数のＣＰＵにより構成されていてもよいし、１又は複数の集積回路（例えば、ＡＳＩＣ）により構成されていてもよい。また、ＣＰＵは、１又は複数のＣＰＵと、１又は複数の集積回路と、の組み合わせにより構成されていてもよい。
【００９０】
本発明の保護範囲は、上記の実施の形態に限定されず、特許請求の範囲に記載された発明とその均等物に及ぶものである。
【符号の説明】
【００９１】
１…ホスト装置、２…プリンター、１１…プリンタードライバー、２１…制御部、２２…ユーザーＩ／Ｆ部、２３…給紙部、２４…印刷機構部、２５…搬送路、２６…センサー
、２３１…手差しトレイ、２３２（２３２Ａ、２３２Ｂ、２３２Ｃ）…給紙トレイ。
【図１】
2019150981.tif 000003
【図２】
2019150981.tif 000004